(57)【要約】  外郭パネルは、筐体の前面部に配置されている前面パネルと、筐体の側面部に配置されている側面パネルとを含み、側面パネルは、前面パネルの側端部に配置されているベース部材と、第１の面と第１の面の反対側に形成された第２の面とを含み、第１の面がベース部材に対向した状態でベース部材に取り付けられ、光透過性を有さない平板状の接続部材と、接続部材の第２の面に対向した状態で接続部材の周縁に取り付けられ、光透過性を有する平板状の意匠パネルとを含むものである。
2017138065.tif 000002
【特許請求の範囲】
【請求項１】
空気を取り込む室内送風機、及び、冷媒と前記室内送風機によって取り込まれた空気とを熱交換する室内熱交換器が搭載された筐体と、
前記筐体に取り付けられている外郭パネルと、
を備えた空気調和装置の室内機であって、
前記外郭パネルは、
前記筐体の前面部に配置されている前面パネルと、
前記筐体の側面部に配置されている側面パネルとを含み、
前記側面パネルは、
前記前面パネルの側端部に配置されているベース部材と、
第１の面と前記第１の面の反対側に形成された第２の面とを含み、前記第１の面が前記ベース部材に対向した状態で前記ベース部材に取り付けられ、光透過性を有さない平板状の接続部材と、
前記接続部材の前記第２の面に対向した状態で前記接続部材の周縁に取り付けられ、光透過性を有する平板状の意匠パネルとを含む
空気調和装置の室内機。
【請求項２】
前記接続部材の前記第２の面の周縁及び前記意匠パネルの周縁には、
前記意匠パネルを前記接続部材に取り付ける凹凸構造が形成されている
請求項１に記載の空気調和装置の室内機。
【請求項３】
前記接続部材の前記第１の面には、
前記接続部材の周縁よりも中央寄りに、前記ベース部材に取り付けられる取付構造が形成されている
請求項１又は２に記載の空気調和装置の室内機。
【請求項４】
前記取付構造は、
前記第１の面に形成された第１の爪と、
前記ベース部材に形成され、前記第１の爪が嵌められて前記第１の爪が取り付けられる穴部とを含む
請求項３に記載の空気調和装置の室内機。
【請求項５】
前記取付構造は、
前記第１の面に形成された第１の凸部と、
前記ベース部材に形成され、前記第１の凸部と接触し、前記第１の凸部よりも下側に配置された第２の凸部とを含む
請求項３又は４に記載の空気調和装置の室内機。
【請求項６】
前記前面パネルは、
前記筐体の前記前面部の一方の側端部から他方の側端部にかけてのびるように設けられた第１のパネルと、
前記筐体の前記前面部の一方の側端部から他方の側端部にかけてのびるように設けられ、上端が前記第１のパネルの下端から予め定められた隙間をあけた状態で配置された第２のパネルとを含み、
前記筐体の前記前面部は、
前記第１のパネルと前記第２のパネルとの間の前記隙間の位置が開放されて、前記隙間を介して前記筐体内に空気を取り込むことができるように構成され、
前記側面パネルは、
前記意匠パネル上に重ねて取り付けられ、前記隙間と同じ高さの位置に配置された帯状パネルをさらに含み、
前記帯状パネルは、
前記意匠パネルの前端から後端にかけてのびるように形成されている
請求項１〜５のいずれか一項に記載の空気調和装置の室内機。
【発明の詳細な説明】
【技術分野】
【０００１】
本発明は、空気調和装置の室内機に関し、特に、空気調和装置の室内機の外郭を構成する部材に関するものである。
【背景技術】
【０００２】
空気調和機の室内機の側面には、室内機の側面の外郭を構成する側面パネルが設けられている。ここで、空気調和装置の室内機には、例えば意匠性向上等のため、光透過性を有する部材を含む側面パネルを備えたものが提案されている（例えば、特許文献１）。
【先行技術文献】
【特許文献】
【０００３】
【特許文献１】特開２００９−７９８６９号公報
【発明の概要】
【発明が解決しようとする課題】
【０００４】
室内機の外郭を構成する部材に、光透過性を有する部材（以下、光透過性部材とも称する）を採用すると、光透過性を有する部材よりも内側にある部材の表面が見えてしまう場合がある。ここで、光透過性を有する部材よりも内側にある部材の表面には、例えば、部材同士を取り付けるのに用いる凹凸等の取付構造等が形成されていることがある。したがって、室内機の外郭を構成する部材に光透過性部材だけを安易に採用してしまうと、この取付構造等の室内機の内部構造が光透過性部材を通して見えてしまい、空気調和装置の室内機の意匠性が損なわれることがある。【０００５】
本発明は、上記のような問題を解決するためになされたもので、外郭に光透過性を有する部材を採用した場合でも意匠性が損なわれることを回避することができる空気調和装置の室内機を提供することを目的としている。
【課題を解決するための手段】
【０００６】
本発明に係る空気調和装置の室内機は、空気を取り込む室内送風機、及び、冷媒と室内送風機によって取り込まれた空気とを熱交換する室内熱交換器が搭載された筐体と、筐体に取り付けられている外郭パネルと、を備えた空気調和装置の室内機であって、外郭パネルは、筐体の前面部に配置されている前面パネルと、筐体の側面部に配置されている側面パネルとを含み、側面パネルは、前面パネルの側端部に配置されているベース部材と、第１の面と第１の面の反対側に形成された第２の面とを含み、第１の面がベース部材に対向した状態でベース部材に取り付けられ、光透過性を有さない平板状の接続部材と、接続部材の第２の面に対向した状態で接続部材の周縁に取り付けられ、光透過性を有する平板状の意匠パネルとを含むものである。
【発明の効果】
【０００７】
本発明に係る空気調和装置の室内機によれば、上記構成を備えているので、外郭に光透過性を有する部材（意匠パネル）を採用した場合でも、意匠性が損なわれることを回避することができる。
【図面の簡単な説明】
【０００８】
【図１】本発明の実施の形態に係る空気調和装置の室内機の斜視図である。
【図２】本発明の実施の形態に係る空気調和装置の室内機の内部構造を室内機の側方から見た図である。
【図３】本発明の実施の形態に係る空気調和装置の室内機を分解した状態を示す斜視図である。
【図４】本発明の実施の形態に係る空気調和装置の室内機の側面パネルの斜視図である。
【図５】本発明の実施の形態に係る空気調和装置の室内機の側面パネルの意匠パネル及び帯状パネルの説明図である。
【図６】本発明の実施の形態に係る空気調和装置の室内機の側面パネルを分解した状態を示す斜視図である。
【図７】本発明の実施の形態に係る空気調和装置の室内機のベース部材を内面側から見た斜視図である。
【図８】本発明の実施の形態に係る空気調和装置の室内機のベース部材を外面側から見た斜視図である。
【図９】本発明の実施の形態に係る空気調和装置の室内機の側面パネルの接続部材を第２の面側から見た斜視図である。
【図１０】本実施の形態に係る空気調和装置の室内機の側面パネルの接続部材を第１の面側から見た斜視図である。
【図１１】図４に示すＺ−Ｚ断面の説明図である。
【発明を実施するための形態】
【０００９】
以下、本発明に係る空気調和装置の室内機の実施の形態について、図面を参照しながら説明する。なお、以下に説明する実施の形態によって本発明が限定されるものではない。また、図１を含め、以下の図面では各構成部材の大きさの関係が実際のものとは異なる場合がある。
【００１０】
実施の形態．
図１は、本実施の形態に係る空気調和装置の室内機１００の斜視図である。
図２は、本実施の形態に係る空気調和装置の室内機１００の内部構造を室内機の側方から見た図である。
図３は、本実施の形態に係る空気調和装置の室内機１００を分解した状態を示す斜視図である。
【００１１】
［構成説明］
室内機１００は、筐体１と、前面パネル６と、側面パネルＳＰ１と、側面パネルＳＰ２とを備えている。なお、前面パネル６、側面パネルＳＰ１及び側面パネルＳＰ２が外郭パネルに対応する構成である。筐体１には、例えば、室内熱交換器２、室内送風機３、筐体１に搭載され、室内熱交換器２に付着した結露水などを貯留するドレンパン９等が搭載されている。また、室内機１００は、各種機器を制御する制御装置（図示省略）を備えている。
【００１２】
室内送風機３は、例えば、クロスフローファン及びクロスフローファンを駆動するモーター部などで構成されるものであり、筐体１内に空気を取り込み、筐体１外に空気を放出するものである。室内送風機３は、室内熱交換器２の下流側に配置されている。室内熱交換器２は、例えば、フィンアンドチューブ熱交換器などで構成することができる。ドレンパン９は、室内熱交換器２に付着した結露水などを貯留するものである。
【００１３】
筐体１は、例えば直方体形状であり、内部に空気が流れる風路が形成されている。筐体１は、空気を放出するのに利用される吹出口４と、空気を取り込むのに利用される吸込口７及び吸込口８とが形成されている。
【００１４】
吸込口７は、筐体１の前面に形成されている。吸込口７は、筐体１の長手方向の幅方向に平行に形成されている。室内機１００が室内等の壁に設置された状態においては、吸込口７は水平方向に平行である。吸込口８は、筐体１の上部に形成されている。吸込口８には、水平方向に平行に延びるグリル部８Ａが設けられている。グリル部８Ａにより吸込口８に手指を挿入する等を防止することができる。吹出口４には、回転自在の風向調整板７ａ及び風向調整板７ｂが設けられている。風向調整板７ａ及び風向調整板７ｂの回転軸は、方向に平行である。風向調整板７ａ及び風向調整板７ｂが回動することにより、室内送風機３の作用で放出される空気の上下方向を調節することができる。また、吹出口４には、回転自在の風向調整板７ｃが設けられている。風向調整板７ｃの回転軸は、水平方向に直交している。風向調整板７ａ及び風向調整板７ｂが回動することにより、室内送風機３の作用で放出される空気の左右方向を調節することができる。
【００１５】
筐体１には、室内機１００の前面の外郭を構成する前面パネル６が取り付けられている。
また、筐体１には、室内機１００を正面から見たときにおいて筐体１の右側面部に配置された側面パネルＳＰ１と、室内機１００を正面から見たときにおいて筐体１の左側面部に配置された側面パネルＳＰ２と、が取り付けられている。
ここで、側面パネルＳＰ１は、ベース部材１０と、接続部材１１（図示省略）と、意匠パネル１２と、帯状パネル１３とを備えている。なお、側面パネルＳＰ２も側面パネルＳＰ１に対応する構成を備えており、ベース部材２０と、接続部材（図示省略）と、意匠パネル（図示省略）と、帯状パネル（図示省略）とを備えている。このように、筐体１は、前面パネル６及び室内機１００の左右に一対の側面パネルを備えている。
【００１６】
前面パネル６は、第１のパネル６Ａと、第２のパネル６Ｂとを備えている。第１のパネル６Ａは、第２のパネル６Ｂの下側に配置されている。
第１のパネル６Ａは、筐体１の一方の側端部から他方の側端部にかけてのびるように設けられている。第２のパネル６Ｂは、筐体１の一方の側端部から他方の側端部にかけてのびるように設けられている。そして、第２のパネル６Ｂは、上端が第１のパネル６Ａの下端から予め定められた隙間をあけた状態で配置されている。すなわち、第１のパネル６Ａと第２のパネル６Ｂとの間には、吸込口７が形成されている。吸込口７は水平方向に伸びるように形成されている。このように、筐体１の前面部は、第１のパネル６Ａと第２のパネル６Ｂとの間の隙間の位置が開放されており、隙間を介して筐体１内に空気を取り込むことができるようになっている。前面パネル６は、前面が意匠面となっており、背面が室内熱交換器２に対向している。前面パネル６の一方の側端部の背面には、側面パネルＳＰ１のベース部材１０が配置され、前面パネル６の他方の側端部の背面には、側面パネルＳＰ２のベース部材２０が配置されている。
【００１７】
側面パネルＳＰ１は、室内機１００を正面から見たときにおいて、前面パネル６の右側の側端部に配置されている。前面パネル６と側面パネルＳＰ１とは直交している。なお、本実施の形態では、側面パネルＳＰ１と側面パネルＳＰ２とは、対応しているため、側面パネルＳＰ２の説明は省略する。また、側面パネルＳＰ１の詳細構成は、図４以降の説明にて詳しく行う。
【００１８】
筐体１には、室内機１００の室内送風機３等を制御する制御装置等が設けられた電気品箱３０が設けられている。電気品箱３０は、ベース部材１０の対向位置に配置されている。なお、電気品箱３０の側方には、室内熱交換器２が配置されている。
【００１９】
［側面パネルＳＰ１等の詳細構成］
図４は、本実施の形態に係る空気調和装置の室内機１００の側面パネルＳＰ１の斜視図である。
図５は、本実施の形態に係る空気調和装置の室内機１００の側面パネルＳＰ１の意匠パネル１２及び帯状パネル１３の説明図である。
図６は、本実施の形態に係る空気調和装置の室内機１００の側面パネルＳＰ１を分解した状態を示す斜視図である。
【００２０】
側面パネルＳＰ１は、前面パネル６の一方の側端部に配置されているベース部材１０と、ベース部材１０に取り付けられる接続部材１１と、光透過性を有する意匠パネル１２と、吸込口７と同じ高さ位置に配置された帯状パネル１３と、を備えている。
ベース部材１０は、接続部材１１が取り付けられる面である外面ＯＳが形成されている。ベース部材１０は、電気品箱３０に付設されている。なお、ベース部材１０は、例えば、筐体１に固定される。この固定手段は、ボルト等を採用してもよいし、ベース部材１０及び筐体１に形成した嵌合構造を採用してもよい。また、ベース部材１０の形状は、図１〜図３に限定されるものではなく、平板状部材であってもよい。
接続部材１１は、第１の面Ｓ１と第１の面Ｓ１の反対側に形成された第２の面Ｓ２とを含む。接続部材１１は、第１の面Ｓ１がベース部材１０に対向した状態でベース部材１０に取り付けられて、ベース部材１０に固定されている。接続部材１１は、平面視形状が、例えば矩形状部材である。接続部材１１は、平板状である。また、接続部材１１は光透過性を有さない部材であり、ベース部材１０のうち接続部材１１で覆われた部分は見えないようになっている。
【００２１】
意匠パネル１２は、平面視形状が接続部材１１と同様であり、例えば矩形状部材である。このため、意匠パネル１２周縁が、接続部材１１の周縁に対向する。意匠パネル１２は、接続部材１１の第２の面Ｓ２に対向した状態で接続部材１１に取り付けられている。また、意匠パネル１２は、平板状である。また、意匠パネル１２は、光透過性を有する部材で構成されている。なお、意匠パネル１２は、透明であってもよいし、半透明であってもよい。
【００２２】
意匠パネル１２は、第１の面部１２Ａと、第２の面部１２Ｂと、接続部１２Ｃとを備えている。第１の面部１２Ａ及び第２の面部１２Ｂは、平面視形状が矩形状である。本実施の形態において、第１の面部１２Ａと第２の面部１２Ｂとは同一形状である。接続部１２Ｃは、第１の面部１２Ａと第２の面部１２Ｂとを接続している。接続部１２Ｃの表面は、第１の面部１２Ａ及び第２の面部１２Ｂの表面よりも凹んだ位置に形成されている。
【００２３】
帯状パネル１３は、意匠パネル１２の接続部１２Ｃの形成位置に配置される。帯状パネル１３は、意匠パネル１２上に重ねて設けられている。帯状パネル１３は、接続部１２Ｃに嵌められて接続部１２Ｃに固定される。帯状パネル１３は、意匠パネル１２に取り付けられた状態において、吸込口７と同じ高さ位置に配置されている。帯状パネル１３は、側面パネルＳＰ１がベース部材１０に取り付けられた状態において、意匠パネル１２の前端から後端にかけてのびるように形成されている。したがって、吸込口７及び帯状パネル１３がつながって見え、室内機１００の意匠性が向上している。
なお、意匠パネル１２は、帯状パネル１３を取り付ける位置が凹状に形成されている。つまり、意匠パネル１２は、接続部１２Ｃの形成位置が凹状に形成されている。このため、意匠パネル１２に帯状パネル１３を取り付けた状態において、意匠パネル１２の表面（後述する第２の面Ｔ２）と、帯状パネル１３の表面とが揃うようになっており、室内機１００の意匠性が向上している。
【００２４】
［側面パネルＳＰ１の着脱構造等］
図７は、本実施の形態に係る空気調和装置の室内機１００のベース部材１０を内面ＩＳ側から見た斜視図である。
図８は、本実施の形態に係る空気調和装置の室内機１００のベース部材１０を外面ＯＳ側から見た斜視図である。
図９は、本実施の形態に係る空気調和装置の室内機１００の側面パネルＳＰ１の接続部材１１を第２の面Ｓ２側から見た斜視図である。
図１０は、本実施の形態に係る空気調和装置の室内機１００の側面パネルＳＰ１の接続部材１１を第１の面Ｓ１側から見た斜視図である。
図１１は、図４に示すＺ−Ｚ断面の説明図である。
【００２５】
接続部材１１の第１の面Ｓ１には、周縁よりも中央寄りに、ベース部材１０に嵌められる第１の取付構造が形成されている。本実施の形態において、この第１の取付構造は次の通りである。接続部材１１は、取付構造として、第１の面Ｓ１に形成された第１の爪１４Ａ及び穴部１４Ｂが形成されている。第１の爪１４Ａは、接続部材１１の第１の面Ｓ１の表面から水平方向に突出し、ベース部材１０の穴部１４Ｂを通過する水平部１４Ａ１と、水平部１４Ａ１の端部から鉛直上方向に突出する鉛直部１４Ａ２とを含むベース部材１０には、第１の爪１４Ａが挿入され、第１の爪１４Ａが嵌る穴部１４Ｂが形成されている。穴部１４Ｂは、第１の爪１４Ａの対向位置に形成されている。
【００２６】
また、この第１の取付構造に加えて、ベース部材１０に対する側面パネルＳＰ１の取付強度を向上させる第２の取付構造が形成されている。具体的には、ベース部材１０には、第１の凸部１５Ａと接触し、第１の凸部１５Ａと押し付け合う第２の凸部１５Ｂが形成されている。第１の凸部１５Ａよりも第２の凸部１５Ｂの方が下側に配置された状態で、第１の凸部１５Ａと第２の凸部１５Ｂとは接触している。なお、第１の凸部１５Ａと第２の凸部１５Ｂとの接触面は、例えば、水平面となっている。つまり、第１の凸部１５Ａは、第２の凸部１５Ｂとの接触面（水平面）と接触する水平面を含む。また、第２の凸部１５Ｂは、第１の凸部１５Ａとの接触面（水平面）と接触する水平面を含む。
【００２７】
接続部材１１には第１の爪１４Ａが形成され、ベース部材１０には穴部１４Ｂが形成されていることにより、接続部材１１とベース部材１０との接続が強固となる。第１の取付構造では、爪と穴部とが嵌合することになることから、例えば、凹構造が形成された部材に凸構造が形成された部材を挿入して、部材同士を取り付ける構造よりも、接続部材１１とベース部材１０との接続が強固になりやすい。なお、接続部材１１の周縁に爪を形成すると、爪及びその周辺の強度が低下してしまう場合がある。本実施の形態では、第１の取付構造は、接続部材１１の周縁ではなく周縁よりも中央に形成されているため、接続部材１１の強度低下を回避しながら、接続部材１１とベース部材１０との接続を強固にすることができる。なお、第１の爪１４Ａの水平部１４Ａ１が穴部１４Ｂに挿入されることになるので、側面パネルＳＰ１の上下左右の取付強度を向上させることができる。
【００２８】
側面パネルＳＰ１は、第１の凸部１５Ａ及び第２の凸部１５Ｂが形成されていることにより、特に、側面パネルＳＰ１の下方向の取付強度を向上させることができるようになっている。例えば、接続部材１１を下方向に動かしても、第１の凸部１５Ａがベース部材１０の第２の凸部１５Ｂと干渉して、接続部材１１が下側に移動することが規制され、接続部材１１がベース部材１０から外れてしまうことを防止することができる。
【００２９】
第１の取付構造及び第２の取付構造は、側面パネルＳＰ１の周縁ではなく、周縁よりも中央寄りに形成されている。しかし、側面パネルＳＰ１は、光透過性を有さない部材で構成されているとともに、第１の取付構造及び第２の取付構造が第１の面Ｓ１に形成されているので、意匠パネル１２から透けて第１の取付構造及び第２の取付構造が見えてしまうことがない。したがって、本実施の形態に係る空気調和装置の室内機１００は、意匠性が損なわれることを回避することができる。
ところで、従来の室内機ように、接続部材１１を設けず、光透過性部材よりも内側にシートを設けて取付構造等を隠す手段もある。しかし、この手段では、接続部材１１がないため、光透過性部材は、ベース部材への取付部の形成位置が、周縁になることから、光透過性部材とベース部材との取付強度を確保しにくい。接続部材１１は、一方の面（第１の面Ｓ１）が接続部材１１とベース部材１０との取付強度に寄与し、他方の面（第２の面Ｓ２）が光透過性を有さないために意匠性に寄与する。つまり、室内機１００の接続部材１１は、１つの部材で、取付強度及び意匠性の両方に寄与する。
【００３０】
図１１に示すように、意匠パネル１２には、第１の面Ｔ１と第１の面Ｔ１の反対側に形成された第２の面Ｔ２とを含む。意匠パネル１２は、第１の面Ｔ１が接続部材１１に対向した状態で接続部材１１に取り付けられて、接続部材１１に固定されている。第２の面Ｔ２は、意匠パネル１２の外表面である。
接続部材１１の第２の面Ｓ２の周縁と意匠パネル１２の周縁には、意匠パネル１２を接続部材１１に取り付ける凹凸構造が形成されている。本実施の形態において、この凹凸構造は次の通りである。
【００３１】
意匠パネル１２の周縁には、意匠パネル１２から接続部材１１へ突出する凸部１６Ａ（凸構造）が形成されている。なお、凸部１６Ａは、連続的に形成された環状のものでもよいし、断続的に形成されて所々が切れたものであってもよい。また、接続部材１１の第２の面Ｓ２には、凸部１６Ａが挿入される凹部１６Ｂ（凹構造）が形成されている。意匠パネル１２の凸部１６Ａは、接続部材１１の凹部１６Ｂの対向位置に形成されている。なお、本実施の形態では、意匠パネル１２に凸構造を形成し、接続部材１１に凹構造を形成したが、それに限定されるものではなく、意匠パネル１２に凹構造を形成し、接続部材１１に凸構造を形成してもよい。
【００３２】
接続部材１１の第２の面Ｓ２の周縁及び意匠パネル１２の周縁には、凹凸構造が形成されていることにより、意匠パネル１２を接続部材１１に取り付けることができる。ここで、意匠パネル１２及び接続部材１１の平面視形状が同じである。つまり、意匠パネル１２周縁が、接続部材１１の周縁に対向している。このため、意匠パネル１２を接続部材１１に取り付けた状態において、意匠パネル１２の上端面ＵＳ１と接続部材１１の上端面ＵＳ２との高さ位置が一致する。また、意匠パネル１２を接続部材１１に取り付けた状態において、意匠パネル１２の下端面ＤＳ１と接続部材１１の下端面ＤＳ２との高さ位置も一致する。さらに、図示は省略しているが、意匠パネル１２の前後の側端面及び接続部材１１の前後の側端面も同様である。つまり、意匠パネル１２の周面と接続部材１１の周面とは、高さ位置又は前後位置が一致している。このため、意匠パネル１２を接続部材１１から外す際には、例えば、指の爪を上端面ＵＳ１と上端面ＵＳ２の間に挿入する等をし、意匠パネル１２と接続部材１１とを引き離す必要がある。このため、意匠パネル１２は接続部材１１から容易には外れにくくなっている。つまり、意匠パネル１２と接続部材との接続には、爪及び穴部等を採用していないが、意匠パネル１２は接続部材１１から外れにくくなっている。
【００３３】
凹凸構造は、側面パネルＳＰ１の中央ではなく、周縁に形成されている。したがって、意匠パネル１２が光透過性を有する部材で構成されており、凹凸構造が透けて見えてしまっても、目立ちにくい。したがって、本実施の形態に係る空気調和装置の室内機１００は、意匠性が損なわれることを回避することができる。
【００３４】
なお、本実施の形態に係る空気調和装置の室内機１００では、上述した第１の取付構造、第２の取付構造及び凹凸構造の両方が形成されている態様について説明したが、それに限定されるものではない。すなわち、側面パネルＳＰ１は接続部材１１を備えているが、第１の取付構造、第２の取付構造及び凹凸構造のうちの少なくとも１つ、又は、これら全部が形成されていなくてもよい。例えば、第１の取付構造、第２の取付構造及び凹凸構造の代わりに、接着剤で、接続部材１１とベース部材１０とを接続し、意匠パネル１２と接続部材１１とを接続してもよい。この態様であっても、光透過性を有さない接続部材１１によって、ベース部材１０の一部が覆われるため、ベース部材１０の構造が透けて見えてしまうことを回避し、室内機１００の意匠性が損なわれることを回避することができる。
【符号の説明】
【００３５】
１  筐体、２  室内熱交換器、３  室内送風機、４  吹出口、６  前面パネル、６Ａ  第１のパネル、６Ｂ  第２のパネル、７  吸込口、７ａ  風向調整板、７ｂ  風向調整板、７ｃ  風向調整板、８  吸込口、８Ａ  グリル部、９  ドレンパン、１０  ベース部材、１１  接続部材、１２  意匠パネル、１２Ａ  第１の面部、１２Ｂ  第２の面部、１２Ｃ  接続部、１３  帯状パネル、１４Ａ  第１の爪、１４Ａ１  水平部、１４Ａ２  鉛直部、１４Ｂ  穴部、１５Ａ  第１の凸部、１５Ｂ  第２の凸部、１６Ａ  凸部、１６Ｂ  凹部、２０  ベース部材、３０  電気品箱、１００  室内機、ＤＳ１  下端面、ＤＳ２  下端面、ＩＳ  内面、ＯＳ  外面、Ｓ１  第１の面、Ｓ２  第２の面、ＳＰ１  側面パネル、ＳＰ２  側面パネル、Ｔ１  第１の面、Ｔ２  第２の面、ＵＳ１  上端面、ＵＳ２  上端面。
【図１】
2017138065.tif 000003
【図２】
2017138065.tif 000004
【図３】
2017138065.tif 000005
【図４】
2017138065.tif 000006
【図５】
2017138065.tif 000007
【図６】
2017138065.tif 000008
【図７】
2017138065.tif 000009
【図８】
2017138065.tif 000010
【図９】
2017138065.tif 000011
【図１０】
2017138065.tif 000012
【図１１】
2017138065.tif 000013
【手続補正書】
【提出日】平成30年5月17日(2018.5.17)
【手続補正１】
【補正対象書類名】明細書
【補正対象項目名】０００６
【補正方法】変更
【補正の内容】
【０００６】
本発明に係る空気調和装置の室内機は、空気を取り込む室内送風機、及び、冷媒と室内送風機によって取り込まれた空気とを熱交換する室内熱交換器が搭載された筐体と、筐体に取り付けられている外郭パネルと、を備えた空気調和装置の室内機であって、外郭パネルは、筐体の前面部に配置されている前面パネルと、筐体の側面部に配置されている側面パネルとを含み、側面パネルは、前面パネルの側端部に配置されているベース部材と、第１の面と第１の面の反対側に形成された第２の面とを含み、第１の面がベース部材に対向した状態でベース部材に取り付けられ、光透過性を有さない平板状の接続部材と、接続部材の第２の面に対向した状態で接続部材の周縁に取り付けられ、光透過性を有する平板状の意匠パネルと、意匠パネル上に重ねて取り付けられた帯状パネルとを含み、意匠パネルは、第１の面部と、第２の面部と、第１の面部と第２の面部とを接続する接続部とを含み、帯状パネルは、接続部に固定され、意匠パネルの前端から後端にかけてのびるように形成されているものである。
【手続補正２】
【補正対象書類名】明細書
【補正対象項目名】００１１
【補正方法】変更
【補正の内容】
【００１１】
［構成説明］
室内機１００は、筐体１と、前面パネル６と、側面パネルＳＰ１と、側面パネルＳＰ２とを備えている。なお、前面パネル６、側面パネルＳＰ１及び側面パネルＳＰ２が外郭パネルに対応する構成である。筐体１には、例えば、室内熱交換器２、室内送風機３、及び室内熱交換器２に付着した結露水などを貯留するドレンパン９等が搭載されている。また、室内機１００は、各種機器を制御する制御装置（図示省略）を備えている。
【手続補正３】
【補正対象書類名】明細書
【補正対象項目名】００１２
【補正方法】変更
【補正の内容】
【００１２】
室内送風機３は、例えば、クロスフローファン及びクロスフローファンを駆動するモーター部などで構成されるものであり、室内機１００内に空気を取り込み、室内機１００外に空気を放出するものである。室内送風機３は、室内熱交換器２の下流側に配置されている。室内熱交換器２は、例えば、フィンアンドチューブ熱交換器などで構成することができる。ドレンパン９は、室内熱交換器２に付着した結露水などを貯留するものである。
【手続補正４】
【補正対象書類名】明細書
【補正対象項目名】００１３
【補正方法】変更
【補正の内容】
【００１３】
室内機１００は、例えば直方体形状であり、内部に空気が流れる風路が形成されている。室内機１００は、空気を放出するのに利用される吹出口４と、空気を取り込むのに利用される吸込口７及び吸込口８とが形成されている。
【手続補正５】
【補正対象書類名】明細書
【補正対象項目名】００１６
【補正方法】変更
【補正の内容】
【００１６】
前面パネル６は、第１のパネル６Ａと、第２のパネル６Ｂとを備えている。第１のパネル６Ａは、第２のパネル６Ｂの下側に配置されている。
第１のパネル６Ａは、筐体１の一方の側端部から他方の側端部にかけてのびるように設けられている。第２のパネル６Ｂは、筐体１の一方の側端部から他方の側端部にかけてのびるように設けられている。そして、第２のパネル６Ｂは、上端が第１のパネル６Ａの下端から予め定められた隙間をあけた状態で配置されている。すなわち、第１のパネル６Ａと第２のパネル６Ｂとの間には、吸込口７が形成されている。吸込口７は水平方向に伸びるように形成されている。このように、筐体１の前面部は、第１のパネル６Ａと第２のパネル６Ｂとの間の隙間の位置が開放されており、隙間を介して室内機１００内に空気を取り込むことができるようになっている。前面パネル６は、前面が意匠面となっており、背面が室内熱交換器２に対向している。前面パネル６の一方の側端部の背面には、側面パネルＳＰ１のベース部材１０が配置され、前面パネル６の他方の側端部の背面には、側面パネルＳＰ２のベース部材２０が配置されている。
【手続補正６】
【補正対象書類名】特許請求の範囲
【補正対象項目名】全文
【補正方法】変更
【補正の内容】
【特許請求の範囲】
【請求項１】
空気を取り込む室内送風機、及び、冷媒と前記室内送風機によって取り込まれた空気とを熱交換する室内熱交換器が搭載された筐体と、
前記筐体に取り付けられている外郭パネルと、
を備えた空気調和装置の室内機であって、
前記外郭パネルは、
前記筐体の前面部に配置されている前面パネルと、
前記筐体の側面部に配置されている側面パネルとを含み、
前記側面パネルは、
前記前面パネルの側端部に配置されているベース部材と、
第１の面と前記第１の面の反対側に形成された第２の面とを含み、前記第１の面が前記ベース部材に対向した状態で前記ベース部材に取り付けられ、光透過性を有さない平板状の接続部材と、
前記接続部材の前記第２の面に対向した状態で前記接続部材の周縁に取り付けられ、光透過性を有する平板状の意匠パネルと、
前記意匠パネル上に重ねて取り付けられた帯状パネルとを含み、
前記意匠パネルは、
第１の面部と、
第２の面部と、
前記第１の面部と前記第２の面部とを接続する接続部とを含み、
前記帯状パネルは、
前記接続部に固定され、
前記意匠パネルの前端から後端にかけてのびるように形成されている
空気調和装置の室内機。
【請求項２】
前記意匠パネルの前記接続部は、前記第１の面部及び前記第２の面部に対して凹状に形成され、
前記意匠パネルに前記帯状パネルが取り付けられた状態において、前記意匠パネルの表面と前記帯状パネルの表面とが揃っている
請求項１に記載の空気調和装置の室内機。
【請求項３】
前記前面パネルは、
第１のパネルと、
前記第１のパネルの下に隙間をあけた状態で配置される第２のパネルとを含み、
前記隙間を介して前記室内機内に空気が取り込まれ、
前記帯状パネルは、
前記意匠パネルに取り付けられた状態において、前記隙間と同じ高さの位置に配置されている
請求項１又は２に記載の空気調和装置の室内機。
【手続補正７】
【補正対象書類名】図面
【補正対象項目名】図３
【補正方法】変更
【補正の内容】
【図３】
2017138065.tif 000014
【手続補正８】
【補正対象書類名】図面
【補正対象項目名】図１１
【補正方法】変更
【補正の内容】
【図１１】
2017138065.tif 000015
【国際調査報告】
2017138065.tif 000016
2017138065.tif 000017
2017138065.tif 000018
2017138065.tif 000019